(57)【特許請求の範囲】
【請求項１】
左右一対の上下方向の支持部と、該支持部の中間部を連結する連結部とを一体に形成してなり、前記各支持部の上部には、内向きに対向する上端開放の標的板用の保持溝を形成し、前記支持部、連結部を含む全体を複数枚の段ボールの積層体とし、該積層体は、前記各段ボールのフルートの方向を交互に縦横に異ならせて積層することを特徴とする標的板の保持フレーム。
【請求項２】
吊下用の水平部と、該水平部の両端に垂下する左右一対の支持部とを一体に形成してなり、前記各支持部には、標的板を保持させるフックを付設し、前記水平部、支持部を含む全体を複数枚の段ボールの積層体とし、該積層体は、前記各段ボールのフルートの方向を交互に縦横に異ならせて積層することを特徴とする標的板の保持フレーム。
【請求項３】
前記フックは、段ボール製とすることを特徴とする請求項２記載の標的板の保持フレーム。
【請求項４】
請求項１または請求項２記載の標的板の保持フレームの製造方法であって、前記積層体は、両面段ボールの前記各段ボールを全面接着して構成することを特徴とする標的板の保持フレームの製造方法。
【発明の詳細な説明】
【技術分野】
【０００１】
この発明は、拳銃などの射撃訓練の際に殊に好適に使用可能な標的板の保持フレームに関する。
【背景技術】
【０００２】
警察官や自衛官などによる実弾射撃訓練には、標的板を地上の所定高さに保持し、または天井から移動走行可能に吊下する射撃訓練装置が使用される（特許文献１）。なお、いずれの射撃訓練装置も、標的板を９０°ずつ水平回転させて短時間だけ射撃手に対面させることにより、高度の射撃技能を習得させるように工夫されている。
【０００３】
射撃訓練装置において、標的板を保持する保持フレームは、跳弾による事故を防止するために、金属製を避け、木製または樹脂製とすることが好ましい。また、近年では、紙管製の保持フレームも実用されている（特許文献２）。保持フレームは、標的板を回転させる際の遠心力や、銃弾による衝撃力などが加わっても、標的板を安定に保持するだけの機械的な強度が必要であり、銃弾により早期に過大な損傷を生じないことも必要である。なお、標的板は、一般に銃弾が貫通し易い紙材の片面に円形の的を図示して使用する。
【先行技術文献】
【特許文献】
【０００４】
【特許文献１】特開平９−３１８２９８号公報
【特許文献２】特許第３６１９９６０号公報
【発明の概要】
【発明が解決しようとする課題】
【０００５】
かかる従来技術によるときは、紙管製の保持フレームは、銃弾による損傷が少なく、木製や樹脂製より耐久性が良好であるという特長があるものの、製造コストが高く、ランニングコストが過大になりがちであるという問題が避けられなかった。
【０００６】
そこで、この発明の目的は、かかる従来技術の問題に鑑み、段ボールを主材料とすることによって、紙管製以上の耐久性があって低コストであり、ランニングコストを十分に抑制することができる標的板の保持フレームを提供することにある。
【課題を解決するための手段】
【０００７】
かかる目的を達成するためのこの出願に係る第１発明（請求項１に係る発明をいう、以下同じ）の構成は、左右一対の上下方向の支持部と、支持部の中間部を連結する連結部とを一体に形成してなり、各支持部の上部には、内向きに対向する上端開放の標的板用の保持溝を形成し、支持部、連結部を含む全体を複数枚の段ボールの積層体とし、積層体は、各段ボールのフルートの方向を交互に縦横に異ならせて積層することをその要旨とする。
【０００８】
第２発明（請求項２に係る発明をいう、以下同じ）の構成は、吊下用の水平部と、水平部の両端に垂下する左右一対の支持部とを一体に形成してなり、各支持部には、標的板を保持させるフックを付設し、水平部、支持部を含む全体を複数枚の段ボールの積層体とし、積層体は、各段ボールのフルートの方向を交互に縦横に異ならせて積層することをその要旨とする。
【０００９】
なお、フックは、段ボール製とすることができる。
【００１０】
また、第１発明または第２発明の標的板の保持フレームの製造方法であって、積層体は、両面段ボールの各段ボールを全面接着して構成することができる。
【発明の効果】
【００１１】
かかる第１、第２発明の構成によるときは、段ボールの積層体は、銃弾が貫通し易く、貫通位置に生じる貫通孔以外の損傷を受け難いため、軽量でありながら、全体強度が簡単に低下せず、必要十分な耐久性を容易に実現することができる。なお、段ボールとしては、市販の強化段ボール、たとえば王子インターパック（株）製のハイプルエース（商品名）などを用いることができ、ＡＡフルートの複両面段ボールまたはＡＡＡフルートの三層段ボール（複々両面段ボール）とするのがよく、それぞれの表面ライナ、中ライナは、それぞれたとえば坪量４４０ｇ／ｍ2 、２２０ｇ／ｍ2 のクラフト（Ｋ）ライナとし、中しんは、たとえば坪量１６０ｇ／ｍ2 のセミケミカルパルプ（ＳＣＰ）原紙とするのがよい。また、積層体は、たとえば３枚または５枚程度の段ボールを積層して全面接着して構成することができ、各段ボールのフルートの方向を交互に縦横に異ならせて積層することが好ましい。
【００１２】
第１発明の構成によるときは、左右の支持部の下部を脚部として、床上に設置する射撃訓練装置の旋回アーム上の装着部に装着して固定し、左右の支持部の上部には、保持溝を介して標的板を交換可能に装着して保持させることができる。なお、保持溝は、積層体を構成する段ボールの１枚分相当の溝幅とすれば、製造上極めて便利であり、標的板の高さの１／２以上の長さとすれば、標的板を一層安定に保持することができる。
【００１３】
第２発明の構成によるときは、天井走行形の台車機構から垂下する支持ロッドの下端に吊下用の水平部の中間部を連結するとともに、支持部に付設するフックを介して標的板を保持させる。なお、各支持部を標的板の高さより長くして、標的板と水平部との間に余裕空間を作ることにより、標的板を外れた銃弾による水平部の損傷確率を一層小さくすることができる。
【図面の簡単な説明】
【００１４】
【図１】全体正面図
【図２】全体分解斜視図
【図３】使用状態正面図
【図４】図３の要部斜視図
【図５】図３のＸ−Ｘ線矢視相当拡大断面図
【図６】図３のＹ−Ｙ線矢視相当拡大断面図
【図７】他の実施の形態を示す図１相当図
【図８】他の実施の形態を示す使用状態斜視図（１）
【図９】他の実施の形態を示す使用状態斜視図（２）
【発明を実施するための形態】
【００１５】
以下、図面を以って発明の実施の形態を説明する。
【００１６】
標的板の保持フレーム１０は、左右一対の上下方向の支持部１１、１１と、支持部１１、１１の中間部を連結する上下の水平の連結部１２、１２とを一体に形成してなる（図１）。
【００１７】
左右の支持部１１、１１は、上の連結部１２の上方に長く延長され、下の連結部１２の下方に短く延長されている。また、各支持部１１、連結部１２の連結部分には、斜め４５°の二等辺三角形の補強部１３、１３が上下に形成されており、支持部１１、１１の上部には、内向きに対向する保持溝１４、１４が形成されている。
【００１８】
保持フレーム１０は、５枚の段ボール２０、２０…の積層体から構成されている（図２）。各段ボール２０は、保持フレーム１０の支持部１１、１１、連結部１２、１２、補強部１３、１３…に対応する垂直部２１、２１、水平部２２、２２、補強部２３、２３…を有し、保持フレーム１０の正面視と同形に形成されている。ただし、中央の段ボール２０の垂直部２１、２１の上部には、保持フレーム１０の保持溝１４、１４に対応する内向きの切欠き２４、２４が形成されている。すなわち、保持フレーム１０の各保持溝１４は、１枚の段ボール２０の厚さ相当の溝幅となっている。
【００１９】
保持フレーム１０は、床ＦＬ上に設置する射撃訓練装置３０に装着して使用する（図３）。
【００２０】
射撃訓練装置３０は、箱状の本体３１の上面に旋回アーム３２を設け、旋回アーム３２の両端には、保持フレーム１０の支持部１１、１１の下端部を挿入して固定する装着部３３、３３が上向きに付設されている。なお、旋回アーム３２は、本体３１内の図示しない駆動機構を介して正逆に９０°ずつ断続的に水平旋回させることができ、旋回間隔、旋回速度などの駆動パターンは、任意に設定可能である。
【００２１】
旋回アーム３２上の各装着部３３は、保持フレーム１０の支持部１１に適合する角筒状に形成されている（図４、図５）。装着部３３の隣接する２面には、それぞれ上下方向に長い長孔３３ａが形成されており、他の２面には、それぞれ押しねじ３４がねじ込まれている。押しねじ３４、３４は、それぞれ押し板３４ａを介し、装着部３３に内装する共通の板ばね３５を内向きに押し、板ばね３５を介して支持部１１を装着部３３内に固定することができる。
【００２２】
射撃訓練装置３０上には、保持フレーム１０を介して標的板ＴＢを保持させることができる（図３、図６）。標的板ＴＢは、保持フレーム１０の上端開放の保持溝１４、１４に対して上方から下向きに挿入することにより、支持部１１、１１の上部間に交換可能に装着することができる。なお、保持溝１４、１４は、標的板ＴＢの高さの約１／２相当の長さに形成されている。また、図６において、保持フレーム１０を構成する段ボール２０、２０…は、それぞれ表面ライナ２０ａ、２０ａ、中ライナ２０ｂ、中しん２０ｃ、２０ｃを有するＡＡフルートの複両面段ボールである。段ボール２０、２０…は、フルート方向を交互に縦横に異ならせて全面接着されており、保持フレーム１０の両面、中央に位置する各段ボール２０は、フルート方向が縦方向に配置されている。
【００２３】
射撃訓練装置３０上の保持フレーム１０は、標的板ＴＢを装着して９０°ずつ水平回転させても、標的板ＴＢを安定に保持するに十分な剛性を有する。また、銃弾が標的板ＴＢを貫通する際の衝撃力に対しても、同様である。一方、保持フレーム１０は、銃弾が貫通し易く、銃弾による損傷が貫通孔を生じるだけであり、耐久性も十分であることが確認できた。
【００２４】
なお、保持フレーム１０は、支持部１１、１１の上部の保持溝１４、１４の長さａ、標的板ＴＢの高さｈとして、ａ＞ｈ／２に設定することができる（図７）。また、図１、図７において、連結部１２、１２は、左右の支持部１１、１１を互いに平行に維持し得る剛性を実現できる限り、たとえばＸ状にクロスさせてもよく、両者を合体して１枚の平板状に形成してもよく、他の任意の形状に変形してもよい。
【他の実施の形態】
【００２５】
保持フレーム１０は、吊下用の水平部１６の両端に左右一対の支持部１１、１１を垂設して形成することができる（図８）。ただし、図８において、保持フレーム１０は、３枚の段ボール２０、２０…の積層体として構成されている。なお、各段ボール２０は、たとえば王子インターパック（株）製の強化段ボール「ハイプルエース・ＡＡ７００グレード（商品名・品番）」である。
【００２６】
支持部１１、１１には、それぞれ上下の内向きのフック１７、１７が付設されている。各フック１７は、スペーサ１７ａを介して支持部１１の前面に接着されており、下のフック１７の下部には、フック１７、スペーサ１７ａ、支持部１１に共通のストッパ板１７ｂが付設されている。なお、フック１７は、スペーサ１７ａ、ストッパ板１７ｂとともに、段ボールを所定形状に裁断して製作されている。
【００２７】
水平部１６の中央部には、上向き台形状の補強部１６ａが形成されている。そこで、保持フレーム１０は、補強部１６ａを介し、図示しない天井走行形の台車機構から垂下する支持ロッド４１の下端に連結することができ、上下のフック１７、１７…と、水平部１６、支持部１１、１１の前面との間に標的板ＴＢを挿入してストッパ板１７ｂ、１７ｂ上に安定に装着することができる。なお、図８において、各支持部１１は、各フック１７の水平方向の長さ相当の幅を有するものとする。
【００２８】
図８の保持フレーム１０は、標的板ＴＢの高さｈ、支持部１１、１１の長さｂとして、ｂ＝ｈ＋ｄ＞ｈに形成することができる（図９）。標的板ＴＢの上端と水平部１６との間に余裕寸法ｄ相当の余裕空間Ｓを形成することができるから、標的板ＴＢをねらって発射される銃弾が保持フレーム１０を損傷させる確率を低くすることができる。なお、一般に、縦横７５×７５cm程度の標的板ＴＢに対し、余裕寸法ｄ≧２０cm程度に設定すれば十分である。また、図９の保持フレーム１０は、水平部１６と各支持部１１との連結部分に三角形の補強部１６ｂが形成されている。
【００２９】
図８、図９において、各支持部１１に付設する上下のフック１７、１７は、上下に一体に連続させて形成してもよく、標的板ＴＢを交換可能に装着し得る限り、他の任意の形態に変更可能である。
【００３０】
以上の説明において、保持フレーム１０を構成する段ボール２０、２０…は、ＡＡＡフルートの三層段ボールとしてもよく、例示以外の任意の仕様、構造の段ボールとしてもよく、３枚、５枚以外の任意の枚数を組み合わせてもよい。
【産業上の利用可能性】
【００３１】
この発明は、警察官などの実弾射撃訓練用に加えて、ピストル、ライフルなどの銃器や、弓、アーチェリなどを使用する各種の競技用としても、広く好適に適用することができる。
【符号の説明】
【００３２】
ＴＢ…標的板
ｈ…高さ
ａ…長さ
１０…保持フレーム
１１…支持部
１２…連結部
１４…保持溝
１６…水平部
１７…フック
２０…段ボール
特許出願人      アンドールシステムサポート株式会社
北菱電興株式会社
【図１】
0006017775.tif 000002
【図２】
0006017775.tif 000003
【図３】
0006017775.tif 000004
【図４】
0006017775.tif 000005
【図５】
0006017775.tif 000006
【図６】
0006017775.tif 000007
【図７】
0006017775.tif 000008
【図８】
0006017775.tif 000009
【図９】
0006017775.tif 000010